【手続補正書】
【提出日】平成27年7月2日(2015.7.2)
【手続補正１】
【補正対象書類名】特許請求の範囲
【補正対象項目名】全文
【補正方法】変更
【補正の内容】
【特許請求の範囲】
【請求項１】
表示手段と、
生体情報及び行動情報のうち少なくともいずれかの計測情報に基づいて、異なる情報を示す複数のグラフが配置されるグラフ配置領域を有する表示画面を、前記表示手段に表示させる表示制御手段と、を備え、
前記複数のグラフは、第１グラフ及び第２グラフを含み、
前記第１グラフは、前記グラフ配置領域において少なくとも一部が前記第２グラフと重なるように配置されることを特徴とする計測情報表示装置。
【請求項２】
請求項１に記載の計測情報表示装置において、
前記表示画面では、前記第２グラフは、前記第１グラフより高い透明度で表示されることを特徴とする計測情報表示装置。
【請求項３】
請求項１に記載の計測情報表示装置において、
前記表示画面では、前記第２グラフは、前記第１グラフより階調が白に近い色で表示されることを特徴とする計測情報表示装置。
【請求項４】
請求項１から請求項３のいずれか一項に記載の計測情報表示装置において、
前記表示画面では、前記第２グラフは、前記第１グラフより小さく表示されることを特徴とする計測情報表示装置。
【請求項５】
請求項１から請求項４のいずれか一項に記載の計測情報表示装置において、
前記複数のグラフの少なくとも一つは、ドーナツ型グラフであることを特徴とする計測情報表示装置。
【請求項６】
請求項１から請求項５のいずれか一項に記載の計測情報表示装置において、
前記グラフ配置領域には、前記グラフにより示される数値の合算値及び差分値の少なくとも一方が表示されることを特徴とする計測情報表示装置。
【請求項７】
請求項１から請求項６のいずれか一項に記載の計測情報表示装置において、
前記表示画面は、前記第１グラフにより示される前記情報に対応する数値が表示される詳細表示領域を有することを特徴とする計測情報表示装置。
【請求項８】
請求項１から請求項７のいずれか一項に記載の計測情報表示装置において、
前記複数のグラフは、少なくとも３つのグラフを含み、
前記少なくとも３つのグラフは、大きさが異なることを特徴とする計測情報表示装置。
【請求項９】
請求項１から請求項８のいずれか一項に記載の計測情報表示装置において、
前記グラフ配置領域は、
第１位置と、
前記第１位置の周囲に位置する第２位置と、を有し、
前記表示制御手段は、前記複数のグラフのうち、前記第２位置にあるグラフを前記第１位置に向かう方向に移動させる移動操作が行われると、当該グラフを前記第１位置に移動させることを特徴とする計測情報表示装置。
【請求項１０】
請求項９に記載の計測情報表示装置において、
前記グラフ配置領域は、前記第１位置を基準として前記第２位置とは反対側に位置する第３位置を有し、
前記移動操作が行われた際に、前記複数のグラフのうち、前記第１位置に位置していたグラフを前記第３位置に移動させることを特徴とする計測情報表示装置。
【請求項１１】
請求項１から請求項１０のいずれか一項に記載の計測情報表示装置と、
前記計測情報を計測する計測装置と、を備え、
前記計測情報表示装置は、前記計測装置と通信して前記計測情報を取得する通信手段を有し、
前記表示制御手段は、取得された前記計測情報に基づいて前記複数のグラフを表示させることを特徴とする計測情報表示システム。
【請求項１２】
請求項１１に記載の計測情報表示システムにおいて、
前記表示制御手段は、前記計測装置から前記計測情報が新たに取得された際に、前記表示手段にて表示中の前記複数のグラフの内容を、新たに取得された前記計測情報に基づいて更新することを特徴とする計測情報表示システム。
【請求項１３】
生体情報及び行動情報のうち少なくともいずれかの計測情報を取得するステップと、
前記計測情報に基づいて、異なる複数の項目情報を生成するステップと、
前記複数の項目情報に基づいて、複数のグラフを生成するステップと、
表示画面のグラフ配置領域において少なくとも一部が互いに重なるように前記複数のグラフを配置するステップと、を含むことを特徴とする計測情報表示方法。
【請求項１４】
コンピューターに、
生体情報及び行動情報のうち少なくともいずれかの計測情報を取得させ、
前記計測情報に基づいて、異なる複数の項目情報を生成させ、
前記複数の項目情報に基づいて、複数のグラフを生成させ、
表示画面のグラフ配置領域において少なくとも一部が互いに重なるように前記複数のグラフを配置させることを特徴とする計測情報表示プログラム。
【請求項１５】
請求項１４に記載の計測情報表示プログラムにおいて、
前記複数のグラフは、第１グラフ及び第２グラフを含み、
前記表示画面に、前記第２グラフを、前記第１グラフより高い透明度で表示させることを特徴とする計測情報表示プログラム。
【請求項１６】
請求項１４に記載の計測情報表示プログラムにおいて、
前記複数のグラフは、第１グラフ及び第２グラフを含み、
前記表示画面に、前記第２グラフを、前記第１グラフより階調が白に近い色で表示させることを特徴とする計測情報表示プログラム。
【請求項１７】
請求項１４から請求項１６のいずれか一項に記載の計測情報表示プログラムにおいて、
前記複数のグラフは、第１グラフ及び第２グラフを含み、
前記表示画面に、前記第２グラフを、前記第１グラフより小さく表示させることを特徴とする計測情報表示プログラム。
【請求項１８】
請求項１４から請求項１７のいずれか一項に記載の計測情報表示プログラムにおいて、
前記複数のグラフの少なくとも一つは、ドーナツ型グラフであることを特徴とする計測情報表示プログラム。
【請求項１９】
請求項１４から請求項１８のいずれか一項に記載の計測情報表示プログラムにおいて、
前記グラフ配置領域に、前記グラフにより示される数値の合算値及び差分値の少なくとも一方を表示させることを特徴とする計測情報表示プログラム。
【請求項２０】
請求項１４から請求項１９のいずれか一項に記載の計測情報表示プログラムにおいて、
前記表示画面に、前記複数のグラフに含まれる第１グラフにより示される情報に対応する数値を表示させることを特徴とする計測情報表示プログラム。
【請求項２１】
請求項１４から請求項２０のいずれか一項に記載の計測情報表示プログラムにおいて、
前記複数のグラフに含まれる少なくとも３つのグラフは、大きさが異なることを特徴とする計測情報表示プログラム。
【請求項２２】
請求項１４から請求項２１のいずれか一項に記載の計測情報表示プログラムにおいて、
前記複数のグラフのうち、前記グラフ配置領域において第１位置の周囲に位置する第２位置にあるグラフを前記第１位置に向かう方向に移動させる移動操作が行われると、当該グラフを前記第１位置に移動させることを特徴とする計測情報表示プログラム。
【請求項２３】
請求項２２に記載の計測情報表示プログラムにおいて、
前記グラフ配置領域は、前記第１位置を基準として前記第２位置とは反対側に位置する第３位置を有し、
前記移動操作が行われた際に、前記複数のグラフのうち、前記第１位置に位置していたグラフを前記第３位置に移動させることを特徴とする計測情報表示プログラム。
【手続補正２】
【補正対象書類名】明細書
【補正対象項目名】発明の名称
【補正方法】変更
【補正の内容】
【発明の名称】計測情報表示装置、計測情報表示システム、計測情報表示方法及び計測情報表示プログラム
【手続補正３】
【補正対象書類名】明細書
【補正対象項目名】０００１
【補正方法】変更
【補正の内容】
【０００１】
本発明は、計測情報表示装置、計測情報表示システム、計測情報表示方法及び計測情報表示プログラムに関する。
【手続補正４】
【補正対象書類名】明細書
【補正対象項目名】０００５
【補正方法】変更
【補正の内容】
【０００５】
本発明は、各種情報を把握しやすくすることができる計測情報表示装置、計測情報表示システム、計測情報表示方法及び計測情報表示プログラムを提供することを目的の１つとする。